(57)【要約】【課題】ＰＡの歪によるＳｗｉｔｃｈｉｎｇ  Ｔｒａｎｓｉｅｎｔｓ  Ｓｐｅｃｔｒｕｍの劣化を起こさずに、最大の送信電力の調整を容易に、且つ正確に行う。【解決手段】送信する送信波を基準電圧に基づいてＰＡ１０３にて増幅し、増幅された送信波の送信電力を測定部１０７にて測定し、測定された送信電力をＣＰＵ１０８にて電圧換算値に電圧換算し、基準電圧に対する電圧換算値の特性を示す一次方程式の傾きに基づいて、送信電力が飽和しているかどうかを判断し、送信電力が飽和していない範囲で、基準電圧を決定する。【選択図】図１
2009033606.tif 000002
【特許請求の範囲】
【請求項１】
無線区間に送信する無線信号の送信電力を調整する送信電力調整装置であって、
当該送信電力調整装置から送信する送信波を基準電圧に基づいて増幅し、増幅された送信波の送信電力を測定し、測定された送信電力を電圧換算値に電圧換算し、前記基準電圧に対する前記電圧換算値の特性を示す一次方程式の傾きに基づいて、前記送信電力が飽和しているかどうかを判断し、前記送信電力が飽和していない範囲で、前記基準電圧を決定する送信電力調整装置。
【請求項２】
請求項１に記載の送信電力調整装置において、
当該送信電力調整装置から送信する送信波を基準電圧に基づいて増幅するパワーアンプと、
前記パワーアンプにて増幅された送信波の送信電力を測定する測定手段と、
前記測定手段にて測定された送信電力を電圧換算値に電圧換算し、前記基準電圧に対する前記電圧換算値の特性を示す一次方程式の傾きに基づいて、前記パワーアンプにて増幅された送信波の送信電力が飽和しているかどうかを判断し、前記パワーアンプにて増幅された送信波の送信電力が飽和していない範囲で、前記基準電圧を決定する制御手段とを有することを特徴とする送信電力調整装置。
【請求項３】
請求項２に記載の送信電力調整装置において、
前記制御手段は、前記傾きが、前記基準電圧に対する前記電圧換算値の特性を示す一次方程式が線形性を有している範囲の基準傾きよりも小さな場合、前記パワーアンプにて増幅された送信波の送信電力が飽和していると判断することを特徴とする送信電力調整装置。
【請求項４】
請求項２または請求項３に記載の送信電力調整装置において、
前記制御手段は、前記パワーアンプにて増幅された送信波の送信電力が飽和していると判断した場合、前記基準電圧を減少させることを特徴とする送信電力調整装置。
【請求項５】
請求項１乃至４のいずれか１項に記載の送信電力調整装置において、
当該送信電力調整装置は、携帯端末であることを特徴とする送信電力調整装置。
【請求項６】
無線区間に送信する無線信号の送信電力を調整する送信電力調整方法であって、
送信する送信波を基準電圧に基づいて増幅する処理と、
前記増幅された送信波の送信電力を測定する処理と、
前記測定された送信電力を電圧換算値に電圧換算する処理と、
前記基準電圧に対する前記電圧換算値の特性を示す一次方程式の傾きに基づいて、前記送信電力が飽和しているかどうかを判断する処理と、
前記送信電力が飽和していない範囲で、前記基準電圧を決定する処理とを有する送信電力調整方法。
【請求項７】
請求項６に記載の送信電力調整方法において、
前記傾きが、前記基準電圧に対する前記電圧換算値の特性を示す一次方程式が線形性を有している範囲の基準傾きよりも小さな場合、前記送信電力が飽和していると判断する処理を有することを特徴とする送信電力調整方法。
【請求項８】
請求項６または請求項７に記載の送信電力調整方法において、
前記送信電力が飽和していると判断した場合、前記基準電圧を減少させる処理を有することを特徴とする送信電力調整方法。
【請求項９】
基準電圧に基づいて増幅した送信波の送信電力を電圧換算値に電圧換算する手順と、
前記基準電圧に対する前記電圧換算値の特性を示す一次方程式の傾きに基づいて、前記送信電力が飽和しているかどうかを判断する手順と、
前記送信電力が飽和していない範囲で、前記基準電圧を決定する手順とをコンピュータに実行させるプログラム。
【請求項１０】
請求項９に記載のプログラムにおいて、
前記傾きが、前記基準電圧に対する前記電圧換算値の特性を示す一次方程式が線形性を有している範囲の基準傾きよりも小さな場合、前記送信電力が飽和していると判断する手順をコンピュータに実行させることを特徴とするプログラム。
【請求項１１】
請求項９または請求項１０に記載のプログラムにおいて、
前記送信電力が飽和していると判断した場合、前記基準電圧を減少させる手順をコンピュータに実行させることを特徴とするプログラム。
【発明の詳細な説明】
【技術分野】
【０００１】
本発明は、無線区間に送信する送信電力を調整する送信電力調整装置、送信電力調整方法及びプログラムに関する。
【背景技術】
【０００２】
近年、ＬＳＩ技術の進歩により、Ｐｏｗｅｒ  Ａｍｐ（以下、ＰＡと称する）の特性は向上し、高出力であっても、歪の少ないＰＡが開発されてきている。また、ＰＡからアンテナまでに挿入されるＦｒｏｎｔ  Ｅｎｄ部（以下、ＦＥＭと称する）も、より挿入ロスの少ないものが開発され、よりＰＡの歪は軽減される方向である。
【０００３】
しかしながら、ＧＳＭシステムでは、３ＧＰＰ  ＴＳ５１．０１０−１で定義されるように、最大出力送信電力は３３ｄＢｍ（＋／−２ｄＢ）であり、その他の携帯電話システムと比較すると、送信電力が非常に高く、ＰＡの歪は発生しやすい。特に、ＰＡの歪が発生した場合、３ＧＰＰ  ＴＳ５１．０１０−１にて規定された、Ｓｗｉｔｃｈｉｎｇ  Ｔｒａｎｓｉｅｎｔｓ  Ｓｐｅｃｔｒｕｍの劣化が顕著に発生することが知られている。このため、送信電力を可能な限り高く調整すると、Ｓｗｉｔｃｈｉｎｇ  Ｔｒａｎｓｉｅｎｔｓ  Ｓｐｅｃｔｒｕｍの劣化が生じてしまう虞がある。そこで、Ｓｗｉｔｃｈｉｎｇ  Ｔｒａｎｓｉｅｎｔｓ  Ｓｐｅｃｔｒｕｍの劣化が生じない範囲で送信電力を調整する必要がある。
【０００４】
ＧＳＭシステムの送信電力の一般的な調整方法について、以下に説明する。
【０００５】
ＰＡの出力電力とＰＡの出力電力を制御するＤＡＣ値との間には下記の式に示す関係がある。ここで、ＤＡＣ値とは、デジタルアナログ変換器（以下、ＤＡＣと称する）が変換するデジタルデータ値である。
【０００６】
y＝ax＋b  ・・・  （式１）
（ｘ：ＤＡＣ値、ｙ：電圧、ａ：傾き、ｂ：切片）
ここで、電力を５０Ω換算した時の電圧ｙ［Ｖ］は、電力をＰ［ｄＢｍ］とした場合、
y＝(50×10^(P/10)/1000)^(1/2)  ・・・  （式２）
で計算される。例えば、電力がＰ＝３３［ｄＢｍ］である場合、電圧ｙ［Ｖ］は、
y＝(50×10^(33/10)/1000)^(1/2)≒10［Ｖ］
となる。式１は、一次方程式であり、送信電力は線形性であることが必要とされる。
【０００７】
しかしながら、実際には、ＰＡの出力部の後段に接続された各種部品や、ストリップラインのロスが大きいことにより、検査端子にて、３３ｄＢｍ（ＧＳＭにおける最大出力電力）付近ではＰＡが飽和してしまうことがある。このような飽和した領域では、式１のような線形の特性とはならず、非線形（傾きａが徐々に減少）の特性となってくる。従い、式１だけでは、最大出力電力を正確に調整できない場合がある。
【０００８】
また、このようなＰＡの飽和領域では、ＰＡの歪により、Ｓｗｉｔｃｈｉｎｇ  Ｔｒａｎｓｉｅｎｔｓ  Ｓｐｅｃｔｒｕｍが劣化傾向である。さらに、一般的には、送信電力の調整は、周波数帯域を３つに分割したＬｃｈ、Ｍｃｈ及びＨｃｈのうち、Ｍｃｈにて実施される。しかし、ＰＡやその他の電気部品の周波数特性により、Ｌｃｈ若しくはＨｃｈではＭｃｈよりも送信電力が小さくなってしまう場合が多い。
【０００９】
その送信電力を補正するために、ＤＡＣ値に補正値を加えて、Ｌｃｈ若しくはＨｃｈの送信電力を上げることを行う。しかし、ＤＡＣ値が大きいことにより、ＰＡの飽和領域での使用となり、Ｓｗｉｔｃｈｉｎｇ  Ｔｒａｎｓｉｅｎｔｓ  Ｓｐｅｃｔｒｕｍの劣化が生じてしまう。
【００１０】
このような問題を解決するための手段として、調整に使用する測定器に、電力計（Ｐｏｗｅｒ  Ｍｅｔｅｒ）及びスペクトラムアナライザを使用する場合がある。電力計で送信電力を測定し、スペクトラムアナライザでＳｗｉｔｃｈｉｎｇ  Ｔｒａｎｓｉｅｎｔｓ  Ｓｐｅｃｔｒｕｍを測定する。そして、Ｓｗｉｔｃｈｉｎｇ  Ｔｒａｎｓｉｅｎｔｓ  Ｓｐｅｃｔｒｕｍの特性を測定しながら、送信電力を調整する方法が確立されている。
【００１１】
しかしながら、この様な調整方法では、調整工程において、２種類の測定器が必要となってしまい、設備投資という点で課題が残ってしまう。
【００１２】
そこで、ＤＡＣが変換するデジタルデータ値を変化させながらＰＡの送信電力を測定し、ＤＡＣから得られるアナログデータをアナログ回路に入力したときの入出力特性が本来の線形性の基準レベルよりも１ｄＢ下がったレベルを示す場合のデジタルデータ値に基づいて送信電力を調整する技術が考えられている（例えば、特許文献１参照。）。
【特許文献１】特開平１１−１２２１４８号公報
【発明の開示】
【発明が解決しようとする課題】
【００１３】
しかしながら、特許文献１に記載された技術においては、入出力特性と線形性の基準レベルとの差分によってデジタルデータ値を判断すると、当該入出力特性が線形性の基準レベルから外れる状態によっては、ＰＡが飽和している範囲で送信電力を調整してしまう虞があるという問題点がある。
【００１４】
本発明は、上述したような従来の技術が有する問題点に鑑みてなされたものであって、ＰＡの歪によるＳｗｉｔｃｈｉｎｇ  Ｔｒａｎｓｉｅｎｔｓ  Ｓｐｅｃｔｒｕｍの劣化を起こさずに、最大の送信電力の調整を容易に、且つ正確に行うことができる送信電力調整装置、送信電力調整方法及びプログラムを提供することを目的とする。
【課題を解決するための手段】
【００１５】
上記目的を達成するために本発明は、
無線区間に送信する無線信号の送信電力を調整する送信電力調整装置であって、
当該送信電力調整装置から送信する送信波を基準電圧に基づいて増幅し、増幅された送信波の送信電力を測定し、測定された送信電力を電圧換算値に電圧換算し、前記基準電圧に対する前記電圧換算値の特性を示す一次方程式の傾きに基づいて、前記送信電力が飽和しているかどうかを判断し、前記送信電力が飽和していない範囲で、前記基準電圧を決定する。
【発明の効果】
【００１６】
以上説明したように本発明においては、当該送信電力調整装置から送信する送信波を基準電圧に基づいて増幅し、増幅された送信波の送信電力を測定し、測定された送信電力を電圧換算値に電圧換算し、基準電圧に対する電圧換算値の特性を示す一次方程式の傾きに基づいて、送信電力が飽和しているかどうかを判断し、送信電力が飽和していない範囲で、基準電圧を決定する構成としたため、ＰＡの歪によるＳｗｉｔｃｈｉｎｇ  Ｔｒａｎｓｉｅｎｔｓ  Ｓｐｅｃｔｒｕｍの劣化を起こさずに、最大の送信電力の調整を容易に、且つ正確に行うことができる。
【発明を実施するための最良の形態】
【００１７】
以下に、本発明の実施の形態について図面を参照して説明する。
【００１８】
図１は、本発明の送信電力調整装置の実施の一形態を示す図である。なお、本発明の送信電力調整装置は、無線区間に無線信号を送信する携帯端末等の無線装置である。
【００１９】
本形態は図１に示すように、検査端子１０１と、ＦＥＭ１０２と、ＰＡ１０３と、ＲＦＩＣ１０４と、ＤＡＣ１０５と、メモリ１０６と、測定部１０７と、ＣＰＵ１０８とから構成されている。なお、図１に示した構成要素は、送信電力調整装置が有する構成要素のうち本発明に関わる構成要素のみを示した。
【００２０】
検査端子１０１は、当該送信電力調整装置から送信される送信電力を測定するための端子である。
【００２１】
ＦＥＭ１０２は、一般的なＦｒｏｎｔ  Ｅｎｄ  Ｍｏｄｕｌｅである。なお、ＦＥＭ１０２は、送信と受信とを切り替える機能を有する。
【００２２】
ＰＡ１０３は、一般的なパワーアンプ（Ｐｏｗｅｒ  Ａｍｐ）である。ＤＡＣ１０５から印加された基準電圧に基づいて、送信波を増幅してＦＥＭ１０２へ出力する。
【００２３】
ＲＦＩＣ１０４は、送信波を変調するＲａｄｉｏ  Ｆｒｅｑｕｅｎｃｙ  Ｉｎｔｅｇｒａｔｅｄ  Ｃｉｒｃｕｉｔである。
【００２４】
ＤＡＣ１０５は、デジタルアナログ変換器（Ｄｉｇｉｔａｌ  ｔｏ  Ａｎａｌｏｇ  Ｃｏｎｖｅｒｔｅｒ）である。ＣＰＵ１０８から出力されたＤＡＣ値であるデジタル信号をアナログ信号へ変換し、アナログ信号である基準電圧をＰＡ１０３へ印加する。
【００２５】
メモリ１０６は、送信電力の調整値を格納する。
【００２６】
測定部１０７は、検査端子１０１に接続され、検査端子１０１における送信電力を測定する電力計である。
【００２７】
ＣＰＵ１０８は、測定部１０７にて測定された送信電力に基づいて、ＤＡＣ１０５へ出力するＤＡＣ値を計算する制御手段である。その際、メモリ１０６に格納された調整値を読み出す。
【００２８】
図２は、ＤＡＣ値と検査端子１０１における送信電力との関係を示すグラフである。図２においては、Ｍｃｈ及びＨｃｈの送信電力を示す。
【００２９】
図２に示すように、Ｈｃｈの送信電力はＭｃｈの送信電力よりも低い。同一ＤＡＣ値では、Ｈｃｈの送信電力は、Ｍｃｈの送信電力よりも約０．５ｄＢ低いことが読み取れる。また、ＤＡＣ値が１５００以上の領域では、Ｍｃｈの送信電力とＨｃｈの送信電力との差分が大きいことも読み取れる。
【００３０】
以下に、図１に示した送信電力調整装置における動作について説明する。
【００３１】
一般に、ＤＡＣ値とＰＡ１０３の出力電力との間には下記のような関係式が成り立つ。
【００３２】
y＝ax＋b  ・・・  （式１）
（ｘ：ＤＡＣ値、ｙ：電力から換算された電圧、ａ：傾き、ｂ：切片）
式１は、一次方程式であり、送信電力は線形性であることが必要とされる。ここで、電力を５０Ω換算した時の電圧ｙ［Ｖ］は、電力をＰ［ｄＢｍ］とした場合、
y＝(50×10^(P/10)/1000)^(1/2)  ・・・  （式２）
で計算される。例えば、電力がＰ＝３３［ｄＢｍ］である場合、電圧ｙ［Ｖ］は、
y＝(50×10^(33/10)/1000)^(1/2)≒10［Ｖ］
となる。
【００３３】
図３は、ＤＡＣ値と図２に示した送信電力を式１を用いて換算した送信電力電圧換算値との関係を示すグラフである。
【００３４】
図３に示すように、図２に示したＭｃｈの送信電力とＨｃｈの送信電力との差分が傾きの差分となる。
【００３５】
まず、Ｍｃｈにおける送信電力の調整方法について説明する。
【００３６】
ＧＳＭシステムにおいては５ｄＢｍ〜３３ｄＢｍの２ｄＢステップでの送信電力の調整が必要である。傾きａ及び切片ｂを求めることにより、式１を用いて、必要な送信電力におけるＤＡＣ値を求めることが可能である。
【００３７】
例えば、低送信電力時のＤＡＣ値をｘ１＝２５６、高送信電力時のＤＡＣ値をｘ２＝１２２９として、その２点の検査端子１０１における送信電力ｙ１，ｙ２を測定部１０７にて測定すると、
x1＝256、y1＝9.26［ｄＢｍ］
x2＝1230、y2＝31.27［ｄＢｍ］
となる。これは、図２に示したグラフからも読み取れる。
【００３８】
ここで、測定された電力ｙ１，ｙ２を５０Ω換算した時の電圧［Ｖ］に換算する。
【００３９】
y1'＝(50×10^(9.26/10)/1000)^(1/2)≒0.65［Ｖ］
y2'＝(50×10^(31.27/10)/1000)^(1/2)≒8.18［Ｖ］
式１におけるａ，ｂを求めると、
a＝(y2'−y1')/(x2−x1)＝(8.18−0.65)/(1230−256)≒0.00774
b＝y2'−a×x2＝8.18−0.00774×1230≒−1.331
となる。以上より、式１は下記のとおりとなる。
【００４０】
y＝0.00774×x−1.331  ・・・  （式３）
式３のｙに、５ｄＢｍ〜３３ｄＢｍの２ｄＢステップに電力を代入することにより、各送信電力（Ｐｏｗｅｒ  Ｌｅｖｅｌ＝ＰＬ）におけるＤＡＣ値ｘを求めることができる。
【００４１】
例えば、ＰＬ＝５（３３ｄＢｍ）の送信電力を得るためのＤＡＣ値ｘ３は、式３より下記のとおり求めることができる。
【００４２】
x3＝(ｙ＋1.331)/0.00774＝((50×10^(33/10)/1000)^(1/2)＋1.331)/0.00774≒1463
次に、上述したＭｃｈと同様の手法を用いた、Ｈｃｈの送信電力調整方法について説明する。
【００４３】
Ｍｃｈにて式３を求めたのと同じ手法にて、Ｈｃｈにおける傾きａ及び切片ｂを求める。
【００４４】
例えば、低送信電力時のＤＡＣ値をｘｈ１＝２５６、高送信電力時のＤＡＣ値をｘｈ２＝１２３０として、その２点の検査端子１０１における送信電力ｙｈ１，ｙｈ２を測定部１０７にて測定すると、
xh1＝256、yh1＝8.93［ｄＢｍ］
xh2＝1230、yh2＝30.58［ｄＢｍ］
となる。これは、図２に示したグラフからも読み取れる。
【００４５】
ここで、測定された電力ｙｈ１，ｙｈ２を５０Ω換算した時の電圧［Ｖ］に換算する。
【００４６】
yh1'＝(50×10^(8.93/10)/1000)^(1/2)≒0.62［Ｖ］
yh2'＝(50×10^(30.58/10)/1000)^(1/2)≒7.56［Ｖ］
式１におけるａ，ｂを求めると、
a＝(yh2'−yh2')/(xh2−xh1)＝(7.56−0.62)/(1230−256)≒0.00712
b＝yh2'−a×xh2＝7.56−0.00712×1230≒−1.198
となる。以上より、式１は下記のとおりとなる。
【００４７】
ｙ＝0.00712×ｘ−1.198  ・・・  （式４）
このように、ＰＬ＝５（３３ｄＢｍ）の送信電力を得るためのＤＡＣ値ｘｈ３は、式４より下記のとおり求めることができる。
【００４８】
xh3＝(y＋1.198)/0.00712＝((50×10^(33/10)/1000)^(1/2)＋1.198)/0.00712≒1570
しかしながら、ＤＡＣ値が１５７０の領域では、図３からもわかるように、送信電力電圧換算値の特性が線形性を失っており、既にＰＡ１０３の飽和領域であり、実際には３３ｄＢｍの送信出力値を得ることができない。ＨｃｈにおけるＤＡＣ値が１５７０である場合の検査端子１０１における送信電力を測定部１０７にて測定すると、
yh3=32.70［ｄＢｍ］(電圧換算すると、式２より、yh3'＝9.65［Ｖ］)
となる。これは、図２に示したグラフからも読み取れる。
【００４９】
従って、ＰＡ１０３が飽和しない領域内で、最大の送信電力が得られるＤＡＣ値を決定する必要がある。
【００５０】
以下に、図１に示した送信電力調整装置における送信電力調整方法について説明する。
【００５１】
図４は、図３に示したグラフのＤＡＣ値１２００から１７００の部分を拡大したグラフである。また、図５は、Ｈｃｈの送信電力調整方法を説明するためのフローチャートである。図４及び図５を用いて、本発明の送信電力調整装置におけるＨｃｈの送信電力調整方法について詳細に説明する。
【００５２】
ここで、実際には測定系のばらつきにより、式１における傾きａの計算結果には誤差が生じる。この傾きａの誤差をｃとし、本過程では、ｃ＝０．０００５とする。
【００５３】
まず、上述したＭｃｈにて式３を求めたのと同じ手法にて、Ｈｃｈにおける傾きａ０及び切片ｂ０を求める（ステップＳ１）。
【００５４】
例えば、低送信電力時のＤＡＣ値をｘｈ１＝２５６、高送信電力時のＤＡＣ値をｘｈ２＝１２３０として、その２点の検査端子１０１における送信電力ｙｈ１，ｙｈ２を測定部１０７にて測定すると、
xh1=256、yh1=8.93［ｄＢｍ］
xh2=1230、yh2=30.58［ｄＢｍ］
となる。これは、図２に示したグラフからも読み取れる。
ここで、測定された電力ｙｈ１，ｙｈ２を５０Ω換算した時の電圧［Ｖ］に換算する。
【００５５】
yh1'＝(50×10^(8.93/10)/1000)^(1/2)≒0.62［Ｖ］
yh2'＝(50×10^(30.58/10)/1000)^(1/2)≒7.56［Ｖ］
式１における傾きａ０，切片ｂ０を求めると、
a0＝(yh2'−yh1')/(xh2−xh1)＝(7.56−0.62)/(1230−256)≒0.00712
b0＝yh2'−a0×xh2＝7.56−0.00712×1230≒−1.198
となる。ここで、傾きａ０は送信電力が飽和しているかどうかを判断するための基準傾きである。以上より、式１は下記のとおりとなる。
【００５６】
ｙ＝0.00712×ｘ−1.198  ・・・  （式４）
そして、ＰＬ＝５（３３ｄＢｍ）の送信電力を得るためのＤＡＣ値ｘｈ３を、式４を用いて求める（ステップＳ２）。
【００５７】
xh3＝(y＋1.198)/0.00712＝((50×10^(33/10)/1000)^(1/2)＋1.198)/0.00712≒1570
そして、ＨｃｈにおけるＤＡＣ値ｘｈ３＝１５７０の送信電力を測定部１０７を用いて測定すると、
yh3=32.70［ｄＢｍ］(電圧換算すると、式２より、yh3'＝9.65［Ｖ］)
となる。
【００５８】
ｙｈ３を得た後、ｘｈ２＝１２３０とｘｈ３＝１５７０との間の、傾きａ３を以下の式により求める。
【００５９】
a3＝(yh3'−yh2')/(xh3−xh2)＝(9.65−7.56)/(1570−1230)≒0.00615
ここで、式４を用いて求めたＤＡＣ値ｘｈ３＝１５７０における送信電力値ｙｈ３＝３２．７０［ｄＢｍ］が、ＰＡ１０３の飽和領域であるか否かを判定する（ステップＳ３）。ＰＡ１０３が未飽和である場合、傾きａ０とａ３とは同等の数値となる。一方、ＤＡＣ値ｘｈ３＝１５７０において、既にＰＡ１０３が飽和していた場合、傾きａ３は傾きａ０よりも小さな値となる。
【００６０】
ここで、上述した測定誤差ｃ＝０．０００５を考慮し、（ａ０−ｃ）≦ａ３である場合、ＤＡＣ値ｘｈ３＝１５７０はＰＡ１０３の未飽和点であると判断し、ＰＬ＝５のＤＡＣ値を１５７０に決定する（ステップＳ４）。一方、（ａ０−ｃ）≦ａ３ではない場合は、ＤＡＣ値ｘｈ３＝１５７０においては、既にＰＡ１０３が飽和していると判断する。本形態では、ａ３＝０．００６１５、ａ０−ｃ＝０．００６６２であり、（ａ０−ｃ）≦ａ３ではないため、ＤＡＣ値ｘｈ３＝１５７０では、ＰＡ１０３は飽和状態であると判断する。従って、送信電力を下げる必要がある。
【００６１】
以下に、測定により算出した傾きａｍ（ｍは４から始まる整数の変数）と、ａ０との関係が、(ａ０−ｃ)≦ａｍとなるＤＡＣ値を決定するまでの過程を説明する。
【００６２】
傾きａ３は、式４の傾きａ０＝０．００７１２よりも小さな値であり、ＰＡ１０３が飽和領域であることが明白である。そのため、未飽和領域はｘｈ２＝１２３０とｘｈ３＝１５７０との間にあると判断できる。
【００６３】
そこで、ＰＡ１０３の送信電力が飽和しているＤＡＣ値ｘｈ３＝１５７０からＤＡＣ値を２０毎に減少させていき、（ａ０−ｃ）≦ａｍとなるＤＡＣ値を算出する。
【００６４】
まず、変数ｍ＝４とすると（ステップＳ５）、そのときのＤＡＣ値ｘｈ４は、
xh4＝xh3−(20×(4−3))＝1570−20＝1550
となる。ｘｈ４＝１５５０での検査端子１０１における送信電力を測定部１０７にて測定し、ＤＡＣ値＝１２３０と１５５０との間の傾きａ４を算出する（ステップＳ６）。ｘｈ４＝１５５０での送信電力を測定すると、ｙｈ４＝３２．６３［ｄＢｍ］を得る。この送信電力を式２を用いて電圧換算すると、９．５７［Ｖ］となる。よって、ＤＡＣ値＝１２３０と１５５０との間の傾きａ４は、
a4＝(9.57−7.56)/(1550−1230)≒0.00628
となる。
【００６５】
ここで、ＤＡＣ値ｘｈ４＝１５５０における送信出力値ｙｈ４＝３２．６３［ｄＢｍ］が、ＰＡ１０３の飽和領域であるか否かを判断する（ステップＳ７）。（ａ０−ｃ）≦ａ４である場合、ＤＡＣ値ｘｈ４＝１５５０はＰＡ１０３の未飽和点であると判断し、ＰＬ＝５のＤＡＣ値を１５５０に決定する（ステップＳ８）。一方、（ａ０−ｃ）≦ａ４ではない場合は、ＤＡＣ値ｘｈ４＝１５５０においては、既にＰＡ１０３が飽和していると判断する。本形態では、ａ４＝０．００６２８、ａ０−ｃ＝０．００６６２であり、（ａ０−ｃ）≦ａ４ではないため、ＤＡＣ値ｘｈ４＝１５５０では、ＰＡ１０３は飽和状態であると判断する。従って、送信電力を下げる必要がある。
【００６６】
既にＰＡ１０３が飽和していると判断された場合、変数ｍに１を加え（ステップＳ９）、ｍ＝５とし、ステップＳ６の処理を行う。
【００６７】
このように、（ａ０−ｃ）≦ａｍとなるＤＡＣ値を検出するまで、ステップＳ６，Ｓ７，Ｓ９の処理を行う。本形態では、ｍ＝５，６，７，８，９の場合のＤＡＣ値ｘｈｍ、その時の送信電力ｙｈｍ及びｘｈ２＝１２３０とｘｈｍとの間の傾きａｍは下記のようになる。
【００６８】
ｍ＝５の場合、
xh5＝1530、yh5＝32.56［ｄＢｍ］、a5＝0.00643
ｍ＝６の場合、
xh6＝1510、yh6＝32.47［ｄＢｍ］、a6＝0.00657
ｍ＝７の場合、
xh7＝1490、yh7＝32.39［ｄＢｍ］、a7＝0.00673
となり、ｍ＝７にて、初めて（ａ０−ｃ）≦ａ７となる。これにより、ＰＬ＝５のＤＡＣ値を１４９０に決定する。
【００６９】
なお、ここでは、傾きを算出する過程における測定誤差を＋／−０．０００５としたが、実際の測定系のばらつき、許容できるＰＡ１０３の歪、Ｓｗｉｔｃｈｉｎｇ  Ｔｒａｎｓｉｅｎｔｓ  Ｓｐｅｃｔｒｕｍの許容劣化の度合により、本許容誤差の数値は変更可能である。
【００７０】
また、ＰＡ１０３の出力電力が飽和しているＤＡＣ値から２０毎にＤＡＣ値を減少することとしたが、実際の装置の特性により、この現象値２０も可変とし、より少ない回数にて、ＰＡ１０３の未飽和領域を決定するものであっても良い。
【００７１】
また、上述した送信電力調整方法では、傾きａを用いて、ＰＡ１０３の飽和領域の判断をしたが、Ｍｃｈの送信電力とＨｃｍの送信電力との差分より、飽和領域を算出することも可能である。
【００７２】
ここでは、Ｍｃｈでの送信電力は線形性（式３を用いることができる）と仮定し、Ｈｃｈの送信電力を測定する。測定Ｐｏｉｎｔは上述した送信電力調整方法と同じである場合、表１のような測定結果を得ることができる。
【００７３】
【表１】
2009033606.tif 000003
【００７４】
ここで、ＭｃｈとＨｃｈとの双方での未飽和領域として、ＤＡＣ値＝１２３０とすると、本ＤＡＣ値での、Ｍｃｈの送信電力とＨｃｈの送信電力との差分は、−０．６９［ｄＢ］となる。ＤＡＣ値＝１５７０では、Ｍｃｈの送信電力とＨｃｈの送信電力との差分は、−０．９９［ｄＢ］となり、Ｈｃｈの送信電力が飽和していることがわかる。
【００７５】
許容できるＰＡ１０３の歪（Ｓｗｉｔｃｈｉｎｇ  Ｔｒａｎｓｉｅｎｔｓ  Ｓｐｅｃｔｒｕｍの劣化許容）を、−０．６９＋／−０．１［ｄＢ］と仮定すると、表１より、Ｈｃｈでの最適なＤＡＣ値は、１４９０と推測することが可能である。
【００７６】
なお、上述した式を用いた計算及び図５に示したフローチャートにおけるステップＳ３，Ｓ７の判断処理は、図１に示したＣＰＵ１０８にて行われるものである。
【００７７】
なお、本発明においては、ＣＰＵ１０８にて行われる処理は、その処理を行うためのプログラムを送信電力調整装置にて読取可能な記録媒体に記録し、この記録媒体に記録されたプログラムを送信電力調整装置に読み込ませ、実行するものであっても良い。送信電力調整装置にて読取可能な記録媒体とは、フロッピーディスク（登録商標）、光磁気ディスク、ＤＶＤ、ＣＤなどの移設可能な記録媒体の他、送信電力調整装置に内蔵されたＨＤＤ等を指す。この記録媒体に記録されたプログラムは、ＣＰＵ１０８にて読み込まれ、ＣＰＵ１０８の制御によって、上述したものと同様の処理が行われる。ここで、ＣＰＵ１０８は、プログラムが記録された記録媒体から読み込まれたプログラムを実行するコンピュータとして動作するものである。
【図面の簡単な説明】
【００７８】
【図１】本発明の送信電力調整装置の実施の一形態を示す図である。
【図２】ＤＡＣ値と検査端子における送信電力との関係を示すグラフである。
【図３】ＤＡＣ値と図２に示した送信電力を式１を用いて換算した送信電力電圧換算値との関係を示すグラフである。
【図４】図３に示したグラフのＤＡＣ値１２００から１７００の部分を拡大したグラフである。
【図５】Ｈｃｈの送信電力調整方法を説明するためのフローチャートである。
【符号の説明】
【００７９】
１０１    検査端子
１０２    ＦＥＭ
１０３    ＰＡ
１０４    ＲＦＩＣ
１０５    ＤＡＣ
１０６    メモリ
１０７    測定部
１０８    ＣＰＵ
【図１】
2009033606.tif 000004
【図２】
2009033606.tif 000005
【図３】
2009033606.tif 000006
【図４】
2009033606.tif 000007
【図５】
2009033606.tif 000008